(57)【要約】【課題】衣服の表面温度をコントロールすることにより乾燥時でも遠赤外線領域において優れた偽装効果を呈する偽装衣服を提供する。【解決手段】衣服にペルチェ素子が貼り合わされてなることを特徴とする偽装衣服。【選択図】なし【特許請求の範囲】
【請求項１】
衣服にペルチェ素子が貼り合わされてなることを特徴とする偽装衣服。
【請求項２】
衣服の外気側表面にペルチェ素子が貼り合わされている、請求項１に記載の偽装衣服。
【請求項３】
衣服の肌側表面にペルチェ素子が貼り合わされている、請求項１または請求項２に記載の偽装衣服。
【請求項４】
表面積１００〜２００００ｍｍ２のペルチェ素子が複数個貼り合わされてなる、請求項１〜３のいずれかに記載の偽装衣服。
【請求項５】
衣服の外気側表面または肌側表面において、全表面積のうち５０％以上がペルチェ素子により覆われる、請求項１〜４のいずれかに記載の偽装衣服。
【請求項６】
前記の布帛にアラミド繊維が含まれる、請求項１〜５のいずれかに記載の偽装衣服。
【請求項７】
偽装衣服に迷彩状プリントが施されている、請求項１〜６のいずれかに記載の偽装衣服。
【請求項８】
偽装衣服が、戦闘服、ポンチョ、および防弾チョッキからなる群より選択されるいずれかである、請求項１〜７のいずれかに記載の偽装衣服。
【発明の詳細な説明】
【技術分野】
【０００１】
本発明は、衣服の表面温度をコントロールすることにより乾燥時でも遠赤外線領域において優れた偽装効果を呈する偽装衣服に関するものである。
【背景技術】
【０００２】
従来、可視光線、近遠赤外線だけでなく遠赤外線領域においても優れた偽装効果を呈する偽装衣服として、吸水性物質を衣服に付着させることが提案されている（例えば、特許文献１参照）。しかしながら、かかる偽装衣服では、濡れている間は遠赤外線領域における偽装性が良好であるものの、乾燥すると偽装性能が失われるという問題があった。さらには、濡れている間衣服が重くなって着用者の活動が制限されるという問題があった。
【０００３】
なお、特許文献２、特許文献３、特許文献４などでは、ペルチェ素子の冷却効果を利用して衣服内部を冷却する方法が提案されているが、衣服表面の温度をコントロールする方法はあまり提案されていない。
【０００４】
【特許文献１】特開２００４−２２５９５６号公報
【特許文献２】特開平１１−２７０９７８号公報
【特許文献３】特表２００５−５３７４５８号公報
【特許文献４】国際公開第９８／２３２３５号パンフレット
【発明の開示】
【発明が解決しようとする課題】
【０００５】
本発明は上記の背景に鑑みなされたものであり、衣服の表面温度をコントロールすることにより乾燥時でも遠赤外線領域において優れた偽装効果を呈する偽装衣服を提供することにある。
【課題を解決するための手段】
【０００６】
本発明者は上記課題を達成するため鋭意検討した結果、衣服にペルチェ素子を貼り合わせることにより、衣服の最外気側表面の温度を自在にコントロールすることができ、乾燥時でも遠赤外線領域において優れた偽装効果を呈する偽装衣服が得られることを見出し、さらに鋭意検討を重ねることにより本発明を完成するに至った。
【０００７】
かくして、本発明によれば「衣服にペルチェ素子が貼り合わされてなることを特徴とする偽装衣服。」が提供される。
【０００８】
その際、衣服の外気側表面にペルチェ素子が貼り合わされていることが好ましい。また、衣服の肌側表面にペルチェ素子が貼り合わされていることが好ましい。また、表面積１〜２００００ｍｍ２のペルチェ素子が複数個貼り合わされていることが好ましい。また、衣服の外気側表面または肌側表面において、全表面積のうち５０％以上がペルチェ素子により覆われていることが好ましい。また、前記の布帛にアラミド繊維が含まれることが好ましい。また、迷彩状プリントが施されていることが好ましい。
【０００９】
また、本発明の偽装衣服が、戦闘服、ポンチョ、および防弾チョッキからなる群より選択されるいずれかであることが好ましい。
【発明の効果】
【００１０】
本発明によれば、衣服の表面温度をコントロールすることにより乾燥時でも遠赤外線領域において優れた偽装効果を呈する偽装衣服が得られる。
【発明を実施するための最良の形態】
【００１１】
以下、本発明の実施の形態について詳細に説明する。
本発明の偽装衣服はペルチェ素子が貼り合わされている。ペルチェ素子は通電によりその表面温度を自在にコントロールすることができる。衣服にペルチェ素子を貼り合わせることにより、貼り合わされたペルチェ素子表面の温度を自在にコントロールすることができ、乾燥時でも遠赤外線領域において優れた偽装効果を呈する偽装衣服が得られる。
【００１２】
ここで、ペルチェ素子は衣服の外気側表面に貼り合わされていてもよいし、衣服の肌側表面にペルチェ素子が貼り合わされていてもよい。衣服の外気側表面および肌側表面の両面に貼り合わされていてもよい。
【００１３】
ここで、前記ペルチェ素子（ペルチェモジュール）としては、１個あたりの表面積が１〜２００００ｍｍ２のペルチェ素子（市販のものでは、例えば、ヤマハ社製ＹＫＭ６Ａなど）が好適に例示される。電源も特に限定されないが、携帯性を考慮すると、乾電池、ボタン電池、リチウム電池などの電池式のペルチェ素子が好ましい。
【００１４】
貼り合わされるペルチェ素子の個数としては複数個であることが好ましく、これらを電気的に直列配列することが好ましい。また、衣服の外気側表面または肌側表面において、外気側全表面積のうち５０％以上（好ましくは５０〜８０％）または肌側全表面の５０％以上（好ましくは５０〜８０％）がペルチェ素子により覆われていると、遠赤外線領域において優れた偽装効果が得られ好ましい。特に、衣服の肌側表面にペルチェ素子を貼り合わせる場合は、外気側表面を制御する上で６０％以上であることが好ましい。ペルチェ素子の被覆率が６０％未満では、通電してペルチェ素子表面の温度を外環境と同一にしても、隣り合わせたペルチェ素子間の隙間から人体の赤外線が放射され、赤外線スコープで容易に視認されてしまう。ペルチェ素子の被覆率の上限は限定されないが、８０％を超えると着用者が動きにくくなるおそれがある。
【００１５】
ペルチェ素子を布帛に貼り合わせる方法としては特に限定されないが、通常の接着剤を用いて貼り合わせる方法や糸により固定する方法などが好適に例示される。
【００１６】
また、前記衣服に使用される繊維は特に限定されずポリエチレンテレフタレートやポリ乳酸に代表されるポリエステル繊維、メタ型又はパラ型アラミド繊維、炭素繊維、ポリオレフィン繊維、ポリアクリロニトリル繊維などの合成繊維やレーヨン繊維、さらには綿などの天然繊維が例示される。また、特開２００４−２２５９５６号公報に開示された吸水性繊維が含まれていてもよい。なかでも、防炎性の点で、アラミド繊維や、難燃加工を施したレーヨンや綿などが好適に例示される。特に、布帛にアラミド繊維が３０重量％以上（より好ましく４０重量％以上）含まれていることがより好ましい。特に防炎性を考えると、メタ型アラミド繊維を用いることが好ましい。
【００１７】
該衣服に用いる布帛の形態は特に指定しないが、公知の集合体である織編物や不織布が使用される。また、これらの布帛を２種以上貼り合わせて多層布帛としてもよい。なかでも、耐久性の点で織物が好ましく例示される。かかる織物の織組織としては、平織、綾織、朱子織、２／２サージ、またはこれらの変化組織などが好ましく用いられる。
【００１８】
本発明の偽装衣服において、可視光線および／又は近赤外線領域の分光反射率が天然自然界の植物、土、雪などに近似するように、無地あるいは迷彩状模様にプリント着色されたものや、衣服に導電糸を織編みこんでレーダー波に対する偽装を付加したもの、布帛に着色樹脂シートを貼り付けたものなどでもよい。ここで、衣服の外気側表面にペルチェ素子が貼り合わされている場合には、ペルチェ素子表面にもこれら迷彩状模様にプリント着色されていることが好ましい。さらには、公知の染色加工、起毛加工、撥水加工、防炎加工、難燃加工、マイナスイオン発生剤など公知の機能加工、特開２００４−２２５９５６号公報に開示されているような吸水性樹脂加工や機能剤が付加されていてもさしつかえない。さらには特開２００４−１６３０１９号公報に開示されているような金属箔が積層されていてもよい。
【００１９】
本発明の偽装衣服は優れた遠赤外線偽装性を有するので、戦闘服、ポンチョ、防弾チョッキ、個人装具などの偽装衣服として好適に使用することができる。また、かかる偽装衣服を軍事対象物の偽装シート等に転用しても何らさしつかえない。
【実施例】
【００２０】
次に本発明の実施例及び比較例を詳述するが、本発明はこれらによって限定されるものではない。なお、実施例中の各測定項目は下記の方法で測定した。
（１）被覆率（％）
衣服の面積は、衣服そのもののパターンから算出した。ペルチェ素子の被覆面積はペルチェ素子の表面積と使用個数より算出し、被覆率はペルチェ素子被覆面積を衣服表面で除し１００をかけることにより算出した。
（２）偽装性
８〜１２μｍの遠赤外線波長を検出する遠赤外線画像装置「ＩＲ−２０」（日本アビオニクス株式会社製）を用い、遠赤外線偽装効果を確認した。得られた偽装材を衣服に縫製し、被験者は１５℃の環境下で該衣服を着用し、樹木を背景に直立安静の状態を維持した。測定は被験者から５０ｍ離れ、遠赤外線画像装置にて偽装性能を確認した。判定は得られた画像を肉眼で判定し、背景と被験者のコントラストが全く認められず、識別することもできない場合には３級、コントラストが弱く、識別し難い場合には２級、コントラストも強く、識別することが可能な場合を１級とした。
【００２１】
［実施例１］
まず、衣服用布帛として、メタ型アラミド繊維３８重量％とパラ型アラミド繊維４重量％および難燃加工したレーヨンを紡績した５０番双糸にて２／２サージを製織した。そして、該編物に常法の精練、リラックスを施した。
このようにして得られた衣服用布帛を裁断し、戦闘服を縫製したのち、戦闘服の外気側表面にペルチェ素子の被覆面積が外気側全表面積の６０％となるようにペルチェ素子（ヤマハ社製、ＹＫＭ６Ａ、２．５ｍｍ×２．５ｍｍ、面積６．２５ｍｍ２）を電気的に直列に配置し、接着剤にて貼り付けた。
このようにして得られた偽装衣服に外環境と同じ温度になるように乾電池にて通電した。結果、衣服最外面温度は環境温とほぼ同じ温度になり、偽装性が３級であった。
【００２２】
［実施例２］
実施例１と同じ布帛にて縫製した戦闘服の肌側表面に、実施例１で使用したペルチェ素子を被覆面積が肌側前表面積の７０％となるように実施例１と同様の手法にて貼り付け通電した。結果、衣服最外面温度は環境温とほぼ同じ温度になり、偽装性が２級であった。
【００２３】
［実施例３］
実施例１において、ペルチェ素子の被覆面積を５０％に変更すること以外は、実施例１と同様の手法で衣服を縫製し通電した。結果、偽装性が２級であった。
【００２４】
［比較例１］
実施例１において、ペルチェ素子の被覆面積を０％に設定した以外は、実施例１と同様の手法で衣服を縫製し通電した。結果、偽装性が１級であった。
【産業上の利用可能性】
【００２５】
本発明によれば、衣服の表面温度をコントロールすることにより乾燥時でも遠赤外線領域において優れた偽装効果を呈する偽装衣服が得られ、その工業的価値は極めて大である。